(57)【特許請求の範囲】
【請求項１】
楕円状のリング部材と、
このリング部材に固定されるとともに、上記リング部材に指を挿入したとき、指の背の長手方向に現れる指接触部を備えた指押さえ部材とからなり、
上記指押さえ部材は、上記リング部材の長軸方向の一端に固定されるとともに、
この指押さえ部材に装飾部を備える一方、
上記指接触部を、上記リング部材で囲まれた楕円面の長軸に対して傾斜させるとともに、
上記指接触部の傾斜角度を鋭角にしてなる指輪。
【発明の詳細な説明】
【技術分野】
【０００１】
この発明は、装身具としての指輪に関する。
【背景技術】
【０００２】
従来から、リング部材に宝石などからなる装飾部を取り付けた指輪が知られている。
このような指輪をはめたとき、装飾部やリング部材が指先よりも手の甲側に位置すると、指が長く、手がきれいに見えることも知られている。
そこで、指が長く見える指輪として、指の股にある薄い部分（以降、「水かき」という）よりも手の甲側にリング部材を位置させることができる特許文献１に示す指輪が知られていた。
【０００３】
この従来の指輪は、図８に示すように、半円状の第１，２曲面部１ａ，１ｂが屈曲部２で結合されたリング部材１に、装飾部３を取り付けたものである。
上記第１，２曲面部１ａ，１ｂは、この指輪を指４にはめたとき、上記屈曲部２が指先側に突出する形状となるように結合されている。この屈曲部２が水かき５を避けることによって、リング部材１及び装飾部３を水かき５より指の根元側に位置させようとするものである。
【先行技術文献】
【特許文献】
【０００４】
【特許文献１】特開２０１１−０９８１５９号公報
【発明の概要】
【発明が解決しようとする課題】
【０００５】
上記したように、図８に示す従来の指輪は、屈曲部２で水かき５を避けるようにするというものである。
しかし、水かき５の位置や厚さは人によって異なる。例えば、図８に示すように水かき５が手の甲よりも手の平側に位置した場合には、上記屈曲部２と水かき５の位置とが一致しない。このように、水かき５の位置と屈曲部２とがずれてしまうと、上記装飾部３を水かき５よりも根元側に位置させることができないことがある。
【０００６】
そして、現実には図８のように、水かき５が手の平側に偏っている人が多い。つまり、図８のような屈曲部２を備えたリング部材１では、装飾部３を水かき５よりも手の甲側に位置させて指を長く見せるという効果はほとんど発揮されない。
だからといって、個人の水かきに対応して上記屈曲部２の位置を変更したリング部材１を形成したのでは、リング部材１が特注品になって、コストが高くなってしまう。
【０００７】
一方、リング部材を楕円形にして、これを斜めにして指を挿入すれば、リング部材の端部が水かきよりも手の甲側に位置するので、この場合にも指を長く見せることができる。
しかしながら、リング部材を楕円形にしてそれを指に斜めにはめるだけでは、リング部材がその長軸方向でがたついてしまう。ややもすれば、楕円形のリング部材の長軸が指に対して立ち上がってしまう。
したがって、リング部材を単に楕円形にしただけでは、指を長く見せる位置にリング部材を保つことができないという問題があった。
この発明の目的は、水かきよりも手の甲側にリング部材を安定的に位置させて、指を長く見せることができる指輪を提供することである。
【課題を解決するための手段】
【０００８】
この発明は、楕円状のリング部材と、このリング部材に固定されるとともに、上記リング部材に指を挿入したとき、指の背の長手方向に現れる指接触部を備えた指押さえ部材とからなる。上記指押さえ部材は、上記リング部材の長軸方向の一端に固定されるとともに、この指押さえ部材に装飾部を備えている。
【０００９】
そして、上記指押さえ部材は、上記リング部材の長軸方向の一端に固定されるとともに、この指押さえ部材に装飾部を備え、上記指接触部を、上記リング部材で囲まれた楕円面の長軸に対して傾斜させるとともに、上記指接触部の傾斜角度を鋭角にしている。
【発明の効果】
【００１０】
この発明によれば、指押さえ部材の指接触部をリング部材の楕円面の長軸に対して鋭角に傾斜させたので、リング部材に指を挿入すれば、指押さえ部が指の背に沿い、リング部材が指の挿入方向に対して傾斜する。リング部材が指の挿入方向に対して傾斜するので、リング部材の長軸方向の一端が水かきを越えて大きく手の甲側に位置する。その結果、指を長くきれいに見せることができる。
また、楕円の長軸方向の一端が、手の甲側に位置することによって、手の甲側でリング部材が略Ｕ字状に見え、指先からの長さをより長く感じさせる効果がある。
【００１１】
さらに、指が上記指接触部とリング部材とで挟まれるので、リング部材をがたつきにくくして、リング部材の位置が保たれる。
そのため、指押さえ部材の位置が安定して、指を長くきれいに見せる効果が安定して発揮されるとともに、指に対する適度なフィット感も得られる。
さらに、従来の指輪のように、水かきに対応させる固定的な屈曲部がないので、水かきの位置に個人差があっても、個別対応の必要がなく、どのような手にはめても、リング部材を水かきよりも手の甲側に位置させることができる。
【００１２】
さらに、指押さえ部とともに装飾部を、水かきよりも手の甲側に位置させることができるので、水かきの位置を越えて手の甲側に位置するリング部材の位置が、装飾部によって強調され、より指を長くきれいに見せることができる。
【図面の簡単な説明】
【００１３】
【図１】この発明の第１実施形態の斜視図である。
【図２】第１実施形態のリング部材の平面図である。
【図３】第１実施形態の指輪をはめた状態を指の側面から見た図である。
【図４】第１実施形態の指輪をはめた状態を手の甲側から見た図である。
【図５】第２実施形態の側面図である。
【図６】第３実施形態の斜視図である。
【図７】参考例の側面図である。
【図８】従来例の指輪をはめた状態を示す図である。
【発明を実施するための形態】
【００１４】
図１〜４に示す第１実施形態は、楕円状のリング部材６の長軸Ｌ方向の一端６ａに、指押さえ部材７が固定された指輪である。上記リング部材６及び指押さえ部材７は、例えば貴金属で形成され、指押さえ部材７には宝石などからなる装飾部８が取り付けられている。
上記指押さえ部材７は、円盤状の部材からなり、装飾部８を取り付ける面と反対側を、平面状の指接触部７ａとしている。この指接触部７ａの端部が、上記一端６ａに固定されている。そして、この指接触部７ａはリング部材６で囲まれた楕円面６ｂの長軸Ｌに対して傾斜して固定され、上記長軸Ｌに対する上記指接触部７ａの傾斜角度θは鋭角である。
なお、上記指接触部７ａは、リング部材６を指４にはめたとき、指４の背に接触する部分である。
【００１５】
このような指輪に、上記角度θ側が指先となるように指４を挿入すると、図３に示すように、上記指接触部７ａが指の背に接触し、リング部材６の長軸方向で上記一端６ａと対向する他端６ｃ側が指の腹に接触して、上記指接触部７ａとリング部材６の他端６ｃ側とで指４が軽く挟まれるようになる。
この状態で、上記他端６ｃ側を、指４に隣接する水かき５の先端に接触させると、リング部材６の一端６ａは指の背側で、水かき５よりも手の甲側に位置する。
【００１６】
したがって、上記リング部材６の一端６ａの指先からの距離が長くなって、リング部材６の一端６ａが水かき５よりも指先側に位置している場合と比べて、指４を長くきれいに見せることがある。
さらに、指４の幅方向中央に位置する一端６ａが水かきよりも手首側に位置するので、リング部材６が略Ｕ字状に見えて、指４の幅を直線で横切るよりも、指４を長く見せる効果がある。
また、上記一端６ａが水かき５よりも手の甲側に位置すれば、指押さえ部材７及び装飾部８も水かき５よりも手の甲側に位置する（図３，４参照）。そのため、装飾部８が、リング部材６の上記一端６ａの位置を強調して、指４をより長く見せることができる。
【００１７】
この第１実施形態のリング部材６は、図８に示す従来のように、水かき５を超えるための屈曲部２を備えたものではなく、水かき５の位置が人によって多少ずれていたとしても、リング部材６を斜めにはめてリング部材６の一端６ａ側を水かき５よりも手の甲側に位置させることができる。つまり、水かき５の位置に応じて個別にリング部材６を形成しなくても、水かき５よりも手の甲側に一端６ａを位置させ、指を長く見せることができる。
【００１８】
なお、この第１実施形態の指輪は、リング部材６を楕円状にしているが、楕円面６ｂの短軸の長さを指４の太さに合わせ、リング部材６の楕円面６ｂを、指４の軸線に傾斜した断面と一致する形状にすることで、指４に斜めにはめたリング部材６が指の全周に接触して適度なフィット感を得ることができる。
また、上記角度θを鋭角にしているので、リング部材６を斜めにはめた状態で、指接触部７ａとリング部材６の他端６ｃ側とで指４を挟むことができる。
上記角度θの大きさによって、指４に対するリング部材６の傾斜や、指４に対する挟持力を調整することができる。実際には、上記角度θを４５°前後にしたときが、指４に対する装飾部８の位置や、指４に対するフィット感も適当で、付け心地もよかった。
【００１９】
なお、この第１実施形態では、指押さえ部材７を円盤状にしているが、上記指押さえ部材７は、どのような形状でもよい。
また、上記指接触部７ａは、平面のほか、曲面、線、点でもよい。上記指接触部７ａは、リング部材６の楕円面６ｂの長軸Ｌに対して角度θを保って傾斜した面上あるいは線上で、指４の背に接触すればよい。
【００２０】
図５に示す第２実施形態は、リング部材６の一端６ａを、上記指押さえ部材７の端部ではなく、中間に固定した指輪である。上記指押さえ部材７とリング部材６の一端６ａとの位置関係以外は、上記第１実施形態と同じである。第１実施形態と同様の構成要素には、上記第１実施形態と同じ符号を用い、個々の説明は省略する。また、以下の説明にも図２、３を参照する。
【００２１】
この第２実施形態も、上記指接触部７ａとリング部材６の楕円面６ｂ（図２参照）の長軸Ｌとで挟まれる角度θは鋭角である。
上記角度θ側が指先となり、指の背が指接触部７ａに接触するようにして指４を挿入すれば、図３に示す第１実施形態と同様に、角度θ内で上記指接触部７ａとリング部材６の他端６ｃ側とで指４が軽く挟まれるとともに、リング部材６の一端６ａ及び指押さえ部材７を、水かき５を越えて手の甲側に位置させることができる。なお、図５中の矢印が指４の挿入方向である。
したがって、この第２実施形態の指輪も、装飾部８の位置や、指の背側で、リング部材６の略Ｕ字状に見える部分によって指４を長くきれいに見せることができる。
また、この第２実施形態も、リング部材６を楕円状にしたことによって、人によって位置が異なる水かき５に対応することができることは、第１実施形態と同じである。
【００２２】
図６に示す第３実施形態は、装飾部１０を形成した短冊状の指押さえ部材９をリング部材６に固定した指輪である。
指押さえ部材９の形状が上記指押さえ部材７とは異なるが、その他の構成は第１実施形態と同様である。したがって、第１実施形態と同様の構成要素には、第１実施形態と同じ符号を用いるとともに、以下の説明にも図３を参照する。
【００２３】
この第３実施形態では、上記指押さえ部材９において、上記装飾部１０の裏側面を指接触部９ａとし、この指接触部９ａと楕円面６ｂの長軸とで挟まれた角度θは鋭角である。
したがって、上記角度θ側が指先となり、指４の背が指接触部９ａに接触するように、リング部材６に指４を挿入すれば、リング部材６の一端６ａを水かき５よりも手の甲側に位置させることができる（図３参照）。そのため、リング部材６の一端６ａ側を手の甲側に位置させ、指を長く見せる効果がある。
【００２４】
また、上記指接触部９ａは、上記指接触部７ａと比べて面積が小さいが、指の長さ方向に延びた形状なので、この指接触部９ａとリング部材６の他端６ｃ側とで指４はしっかりと挟まれ、リング部材６のがたつきを防止できる。
この第３実施形態も、リング部材６を楕円状にしたことによって、人によって位置が異なる水かきに対応することができることは第１実施形態と同じである。
なお、指押さえ部材９の表面の上記装飾部１０は、彫刻などによって形成してもよいし、宝石などを埋め込んでもよい。
【００２５】
図７に示す参考例は、指押さえ部材１２の取り付け位置が、上記第１実施形態と異なるが、上記第１実施形態と同様の構成要素には、第１実施形態と同じ符号を用いるとともに、以下の説明にも図３を参照する。
この参考例では、リング部材６の長軸方向の両端６ａ，６ｃの中間部に半円状の連結部１１を連結し、この連結部１１に指押さえ部材１２を固定している。この指押さえ部材１２は、宝石などからなる装飾部１３の取り付け面の反対面を、指接触部１２ａとしている。そして、この指接触部１２ａが、リング部材６の楕円面６ｂの長軸Ｌに対して角度θで傾斜して上記連結部１１に固定されている。
【００２６】
上記のような参考例の指輪のリング部材６に、図７中の矢印方向から、指の背が指接触部１２ａ側になるようにして挿入すれば、図３に示す第１実施形態と同様に、リング部材６の長軸方向の一端６ａを、水かき５よりも手の甲側に位置させることができる。このように、リング部材６の一端６ａ側が水かき５よりも手の甲側に位置することによって指４を長くきれいに見せることができる。
また、指接触部１２ａとリング部材６の他端６ｃ側とによって指４が挟まれて、リング部材を安定させることができる。
【００２７】
なお、この参考例では、装飾部１３を備えた指押さえ部材１２をリング部材６の一端６ａに固定せずに、半円状の連結部１１に固定しているため、この指輪をはめた指４の背側では、指押さえ部材１２及び装飾部１３が上記第１実施形態よりも指先側に位置することになる。
ただし、装飾部１３などが指先側に位置したとしても、上記一端６ａの位置が水かきよりも手の甲側に位置するとともに、上記一端６ａ側が略Ｕ字状に見えることによって、指４を長く見せる効果が発揮される。
さらに、この参考例においても、人によって位置が異なる水かきに対応することができることは第１実施形態と同じである。
【００２８】
上記第１〜３実施形態のいずれにおいても、指押さえ部材７，９，１２、装飾部８，１０及び１３の形態は特に限定されない。
また、指押さえ部材７，９，１２は、指４の背に接触する指接触部７ａ，９ａ，１２ａを備えていれば、どのような形状でも構わないし、上記装飾部８，１０，１３を設けずに、指押さえ部材７，９，１２が装飾部を兼ねるようにしてもよい。
上記のように、指押さえ部材７，９，１２や装飾部８，１０，１３の形状や大きさは、デザイン性を考慮して自由に設定できるが、上記指押さえ部材７，９，１２や装飾部８，１０，１３の幅を、指４の幅よりも小さくすれば、楕円状のリング部材６の長軸方向の一端６ａ側の略Ｕ字形状が見えやすくなるため、このＵ字によって指４を長く見せる効果が高くなる。
【００２９】
一方、上記指押さえ部材７，９，１２の指接触部７ａ，９ａ，１２ａの面積や、指４の長さ方向の長さを大きくすれば、指４の背から指接触部７ａ，９ａ，１２ａが浮き上がりにくく、指押さえ部材７，９，１２を安定させることができる。
さらに、リング部材６も輪郭が楕円であればよく、リング部材６を構成する線材の太さや断面形状などは自由に設定できる。あるいは、リング部材６を多重にしてもよい。
リング部材６を太くしたり、多重にしたりすれば、リング部材６と指４との接触面積を大きくでき、それだけリング部材６を安定させることができる。特に、リング部材６の上記他端６ｃ側と指４の腹との接触面積を大きくすれば、上記他端６ｃ側と上記指接触部７ａ，９ａ，１２ａとが相まって、リング部材６の位置をより安定させることができる。
【産業上の利用可能性】
【００３０】
この発明によれば、どんな人でも指を長くきれいに見せることができる。
【符号の説明】
【００３１】
６    リング部材
６ａ    （長軸方向の）一端
６ｂ    楕円面
６ｃ    （長軸方向の）他端
７    指押さえ部材
７ａ    指接触部
８    装飾部
９    指押さえ部材
９ａ    指接触部
１２    指押さえ部材
１２ａ    指接触部
θ    角度
Ｌ    長軸
【図１】
0006525264.tif 000002
【図２】
0006525264.tif 000003
【図３】
0006525264.tif 000004
【図４】
0006525264.tif 000005
【図５】
0006525264.tif 000006
【図６】
0006525264.tif 000007
【図７】
0006525264.tif 000008
【図８】
0006525264.tif 000009